(57)【特許請求の範囲】
【請求項１】
長方形の上面に長手方向に沿って取り出し用のスリットが設けられた高さ５０±２ｍｍの収納箱内に、ティシュペーパーが２枚重ねで２００組４００枚、見かけ密度０．１０〜０．２０ｇ／ｃｍ3で、かつ、前記スリットからの引出し方向がティシュペーパーの横方向となるように納められているティシュぺーパー製品用のティシュペーパーであって、
ＮＢＫＰおよびＬＢＫＰを原料パルプとし、
ＮＢＫＰ：ＬＢＫＰの比が１０：９０〜７０：３０であり、
１枚の坪量が１１ｇ／ｍ2以下であり、密度が０．１８〜０．２１ｇ／ｃｍ3であり、さらに紙厚が５０〜６０μｍであり、
クレープ数が流れ方向に３０〜５０本／ｃｍであり、
縦方向の伸び率が７〜２０％であり、
２枚重ねでの乾燥時の横方向の引張強さが３２Ｎ／ｍ以上、湿潤時の縦方向の引張強さが３２Ｎ／ｍ以上であり、かつ、乾燥時の縦方向の引張強さが乾燥時の横方向の引張強さの２．５〜３．５倍である、
ことを特徴とするティシュペーパー。
【請求項２】
請求項１に記載のティシュペーパーを製造する方法であって、
抄き出し水流速度／ワイヤー速度（Ｊ／Ｗ比）を０．９２〜１．００にして抄紙することを特徴とするティシュペーパーの製造方法。
【発明の詳細な説明】
【０００１】
【発明の属する技術分野】
本発明は、特に、収納箱及び収納厚さを薄くする場合に好適な、衛生薄葉用紙に関する。
【０００２】
【従来の技術】
ティシュペーパー、トイレットペーパー、ちり紙等の衛生用紙は、その利便性から、今日では生活必需品とされている。そして、これらの衛生用紙は、ティシュペーパーであれば一般的に箱の上面に形成された窓にスリットを有するシートが内側から覆っており、内部の衛生薄葉用紙を順次前記スリットを通して取り出すようにした収納箱に収納されている。このようにして収納される衛生薄葉用紙は、手触りの良さ、ふんわりした感触とともに、取り出し時に破断せず、かつ使用に耐え得る十分な強度も要求される。
【０００３】
【発明が解決しようとする課題】
ティシュペーパーの場合、多くは木材パルプ１００％を原料としており、手触りの良さ、ふんわりした感触を得るための、細胞壁の薄い木材繊維を使用する方法や柔軟剤を混入する方法が知られている。後者の強度の観点からは、強度の高い木材繊維の配合率を高める、叩解処理を行う方法がある。
【０００４】
しかし、前者の方法に従って特別な木材繊維を使用することはコスト高に直接つながり、強度を高める方向で検討すると、手触りの良さ、ふんわりした感触を阻害する要因となる。
【０００５】
他方、近年では、ティッシュペーパーの購入時における持ち運びの便利さや、意匠性の観点から、収納枚数を減じないで、収納箱の厚さを薄くする努力がなされている。この場合、製品を購入し開口部を開封し、ティシュペーパーのスリットからの初期の取り出し時においては、いま取り出そうとするティシュペーパーと内部のティシュペーパー束との間の隙間が小さく、取り出しに際しティシュペーパーがやぶけてしまう虞が大きくなる。
【０００６】
この取り出し時のティシュペーパーの破断は、収納箱が厚く、従って枚葉当たりの坪量が比較的大きく、強度がある程度高い場合には問題にならなかったが、収納枚数を減じないで、収納箱の厚さを薄くする、従って枚葉当たりの坪量を小さくしようとする場合には、大きな問題点としてあらわれることが知見された。
【０００７】
そこで、本発明の課題は、収納箱から破断することなく取り出すことができ、さらに手触りの良さ、ふんわりした感触を与え、特に、柔らかさ、滑らかさおよび優れた手肉感を示しかつ十分な強度を有する衛生薄葉用紙を提供することにある。
【０００８】
【課題を解決するための手段】
上記課題を解決した本発明は、次記のとおりである。
＜請求項１記載の発明＞
長方形の上面に長手方向に沿って取り出し用のスリットが設けられた高さ５０±２ｍｍの収納箱内に、ティシュペーパーが２枚重ねで２００組４００枚、見かけ密度０．１０〜０．２０ｇ／ｃｍ3で、かつ、前記スリットからの引出し方向がティシュペーパーの横方向となるように納められているティシュぺーパー製品用のティシュペーパーであって、
ＮＢＫＰおよびＬＢＫＰを原料パルプとし、
ＮＢＫＰ：ＬＢＫＰの比が１０：９０〜７０：３０であり、
１枚の坪量が１１ｇ／ｍ2以下であり、密度が０．１８〜０．２１ｇ／ｃｍ3であり、さらに紙厚が５０〜６０μｍであり、
クレープ数が流れ方向に３０〜５０本／ｃｍであり、
縦方向の伸び率が７〜２０％であり、
２枚重ねでの乾燥時の横方向の引張強さが３２Ｎ／ｍ以上、湿潤時の縦方向の引張強さが３２Ｎ／ｍ以上であり、かつ、乾燥時の縦方向の引張強さが乾燥時の横方向の引張強さの２．５〜３．５倍である、
ことを特徴とするティシュペーパー。
【０００９】
【００１０】
【００１１】
＜請求項２記載の発明＞
請求項１に記載のティシュペーパーを製造する方法であって、
抄き出し水流速度／ワイヤー速度（Ｊ／Ｗ比）を０．９２〜１．００にして抄紙することを特徴とするティシュペーパーの製造方法。
【００１２】
【発明の実施の形態】
以下、本発明の実施の形態を詳説する。本発明に係るティシュペーパーについて説明する。なお、ティシュペーパーの縦方向及び横方向については、抄紙の流れ方向を縦方向、直角方向を横方向とする。これは、箱内の収納段階では、箱の長手方向が縦方向、短手方向が横方向となる。また、重ね枚数としては、２枚重ね（２プライ）のものを２００組、合計４００枚のものである。
【００１３】
（ティシュペーパー）
本発明の実施の形態に係るティシュペーパーは、２枚重ねのものであって、ＪＩＳ Ｐ  ８１１３に基づく乾燥時の横方向の引張強さ３２Ｎ／ｍ以上（望ましくは３４Ｎ／ｍ以上）、および湿潤時の縦方向の引張強さが３２Ｎ／ｍ以上（望ましくは３６Ｎ／ｍ以上）である。
【００１４】
一般に、引張強さは横方向より縦方向の方が高い。しかし、濡れた手で収納箱から取り出す際にティシュペーパーがやぶれるのを防止するためには、乾燥時の横方向の引張強さ３２Ｎ／ｍ以上、および湿潤時の縦方向の引張強さが３２Ｎ／ｍ以上であることが重要である。
【００１５】
他方、乾燥時の縦方向の引張強さは、乾燥時の横方向の引張強さの２．５〜３．５倍、特に２．８〜３．４倍とするのが好ましい。乾燥時の縦方向の引張強さを上げると、強度は増すものの柔軟性に劣る。縦方向の引張り強さを下げると、柔軟性は向上するものの強度に劣る。従来は、この比率が３．５倍を超えるものが主流であったが、本発明に従って、乾燥時の縦方向の引張強さを抑制し、その代わりに乾燥時の横方向の引張強さを高めるように調整することにより、手触りの良さ、ふんわりした感触を与え、かつ十分な強度を有するものを得ることができる。
【００１６】
さらに、本実施の形態に係るティシュペーパーは、ＪＩＳ  Ｐ  ８１２４に基づく坪量を１枚で１１．０ｇ／ｍ2以下とするのが望ましい。さらに好適な範囲は、１枚で５．０〜１１．０ｇ／ｍ2、より望ましくは８．０〜１１．０ｇ／ｍ2、２枚重ねでは坪量を１０〜２２ｇ／ｍ2、より望ましくは１６．０〜２２．０ｇ／ｍ2である。密度は１枚で０．１８〜０．２１ｇ／ｃｍ3とし、さらに、紙厚は１枚で５０〜６０μｍとするのが望ましい。この紙厚測定は、ＪＩＳ  Ｐ  ８１１１の条件下で、尾崎製作所ダイヤルシックネスゲージ「ＰＥＡＣＯＣＫ  Ｇ型」を用いて測定する。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料（ティシュペーパー）を試験台の上におき、プランジャーをゆっくりと下ろしそのときのゲージを読み取る。このとき、プランジャーをのせるだけとする。なお、測定は１枚で行い、１０回の平均値とする。
【００１７】
本実施の形態に係るティシュペーパーは、常法により製造することができるが、好ましくは１００％木材パルプからなるものである。この場合、ＮＢＫＰ：ＬＢＫＰの割合としては、１０：９０〜７０：３０、好適には５０：５０〜９３：７、特に好適には、６５：３５〜６９：３１である。ＮＢＫＰの割合が高いほど、柔軟性を得ることができる。
【００１８】
また、抄き出し水流速度／ワイヤー速度（Ｊ／Ｗ比）を０．９２〜１．００、特に０．９３〜１．００にして抄紙するのが望ましい。その他の抄紙条件については従来既知の技術に基づいて適宜変更して行うことが可能である。
【００１９】
ところで、本実施の形態に係るティシュペーパーのクレープ加工は、ティシュペーパーの縦方向の伸び率が７〜２０％、好ましくは７〜１３％となるように行なうのが望ましい。また、クレープ数が縦方向（流れ方向）、３０〜５０本／ｃｍとなるように行うのが好ましい。このために、クレープ率を１０〜２８％にするのが望ましい。
【００２０】
そして、クレープ率を１０〜２８％としたティシュペーパーは、収納箱に、その見掛け密度が０．１０〜０．２０ｇ／ｃｍ3となるように収納するのが好ましい。密度を０．１０ｇ／ｃｍ3以上とすることによりティシュペーパーの収まりを良くすることができ、０．２０ｇ／ｃｍ3以下とすることにより取り出しの際の破断を防止することができる。
【００２１】
ここで、本発明の実施の形態にかかるティシュペーパーは、従来コンパクトタイプで６５ｍｍであった箱の高さを５０±２ｍｍと薄くした収納箱に、収めて使用するのに特に好適である。この場合、一般的な収納箱への収め方に従って、使用時の引き出し方向が前記横方向となるように収めるのが望ましい。
【００２２】
以上の本発明の条件に従えば、柔軟性と強度とのバランスを図ることができる。また、紙厚を５０〜６０μｍとすることにより、特に、５０±２ｍｍと薄くした収納箱に、収めて使用するのに特に好適である。
【００２３】
（収納箱）
次いで、本発明に係る衛生薄葉用紙に好適な収納箱の形態について記載する。本発明にかかるティシュペーパーの好適な収納箱は、図１に示すように、箱１の上面に形成された窓１Ａをスリット２Ａを有するシート２が内側から覆っており、内部のティシュペーパーを順次前記スリット２Ａを通して取り出すようにした収納箱である。ここに窓１Ａは、箱１の上面にミシン目などの切りこみ目が予め形成され、その切りこみ目で囲まれる部分を剥ぎ取ることにより、形成される公知の構成のものでよい。
【００２４】
シート２は、窓１Ａのサイズより大きく、例えば図示のように方形とし、箱の上面に内側より接着剤により接着する。また、本実施の形態では、シート２として、ポリエチレンフィルムシートを用いたが、これに代えて、坪量が１０〜３５ｇ／ｍ2であり、合成繊維または化学繊維を混抄した合成紙、あるいは不織布からなるシートを用いることもできる。合成繊維または化学繊維としては、レーヨン、アセテート、ビニルアセテートが好適であり、さらにリサイクル化をある程度無視すれば、ポリエチレン、ポリプロピレン、ポリエステルなども使用可能である。他方、不織布としては、形態の面からはエアースルー不織布、ポイントボンド不織布、メルトブロー不織布、スパンボンド不織布などを用いることができる。材質的には、ポリエチレン、ポリプロピレン、ポリエステル、パルプなどを例示できる。坪量は、１０ｇ／ｍ2未満では、強度的に不足し、ティシュペーパー３の取り出し時において裂けあるいは破断の確率が高くなる。逆に、３５ｇ／ｍ2を超えると、強度の問題はないものの、コスト高となるばかりでなく、取り出し時のノイズが大きくなる傾向にある。
【００２５】
シート２にはスリット２Ａが形成されているが、このスリット２Ａは、シート２を箱１の上面内側へ接着した状態において、窓１Ａの幅方向中央部に（箱１の長手方向（ティシュペーパー３の横方向）と沿うように形成されている。スリット２Ａの長さは、図２の（ａ）に示すように、窓１Ａの長手方向全長より短くすることが望ましいが、図２の（ｂ）に示すように、窓１Ａの長手方向全長と同じ長さにすることも、さらに、図２の（ｃ）に示すように、シート２の横方向長さより短い条件の下で、窓１Ａの長手方向全長より長くすることもできる。
【００２６】
現在市販のコンパクトタイプのティシュペーパーにおいては、衛生薄葉用紙のサイズは縦が１９７ｍｍ、横が２２９ｍｍであり、収納箱のサイズは長さ２４０ｍｍ、幅１１５ｍｍ、高さ６５ｍｍであり、スリットは通常は図２の（ａ）の形態で形成され、そのスリット長さは、約１６０ｍｍであり、スリットの有効長さは、ティシュペーパーの横方向の長さの約７０％であるが、本発明の実施の形態にかかるティシュペーペーに好適な収納箱においては、ティシュペーパーの特徴を考慮し破断防止の観点から、前記スリット２Ａの開口可能長さＬをティシュペーパー３の横方向長さ３ａの７２〜９０％、特に７６〜８５％とするのが望ましい。
【００２７】
この意味でのスリット２Ａの開口可能長さＬは、図２の（ａ）及び（ｂ）の場合であればスリット２Ａの全長、図２の（ｃ）の場合であれば、窓１Ａの長手方向全長となる。
【００２８】
＜実施例＞
本発明の実施例および比較例について柔らかさ、滑らかさおよび手肉感の評価を行ったので、結果を表１に示す。なお表中の「条件」の欄に記載の縦横方向の引張強さ、紙厚、坪量は、上記詳細な説明の欄で説明した測定方法に従って測定した値である。また、伸び率は；試料を５枚重ねて縦方向の幅が２５ｍｍとなるように裁断機を用いて裁断し、次いで、その試料を容量２０ｋｇのロードセル引張試験機（ミネベア株式会社性  ＴＧ−２００Ｎ）を用いてつかみ間隔１００±２ｍｍ、引張速度５０ｍｍ／ｍｉｎで試料が破断する長さを測定し、次式（１）に従って計算した、値である。表中の数値は、５回測定したさいの平均値である。
【００２９】
【数１】
0004791640.tif 000002
【００３０】
【表１】
0004791640.tif 000003
【００３１】
［柔らかさ］表中の柔らかさの評価は、実施例および比較例の感触を、３０人の被験者が５点満点で評価した値の平均値である。
【００３２】
［滑らかさ］表中の滑らかさの評価は、実施例および比較例の感触を、３０人の被験者が５点満点で評価した値の平均値である。
【００３３】
［手肉感］表中の手肉感の評価は、実施例および比較例の感触を、３０人の被験者が５点満点で評価した値の平均値である。
【００３４】
表１より、本発明の実施例１および２のものは、柔らかさ、滑らかさおよび手肉感の質感テストで、高い評価が得られた。
【００３５】
【発明の効果】
以上のとおり、本発明に係る衛生薄葉用紙によれば、さらに手触りの良さ、ふんわりした感触を与え、特に柔らかさ、滑らかさおよび優れた手肉感を示し、引き出し時において破れのない十分な強度を有する衛生薄葉用紙を得ることができる。
【図面の簡単な説明】
【図１】  本実施の形態に係る収納箱の斜視図である。
【図２】  本実施の形態に係る収納箱の平面図である。
【符号の説明】
１…収納箱、１Ａ…窓、２…シート、２Ａ…スリット、３…衛生薄葉用紙、Ｌ…スリットの有効長さ。
【図１】
0004791640.tif 000004
【図２】
0004791640.tif 000005